(57)【要約】【課題】実際に目で見るような光沢のある美しい金属色を生産効率良く表現し、印刷画像の臨場感や迫力等を向上させること可能な印刷物、及び、そのような印刷物を作成可能な印刷方法を提供する。【解決手段】印刷物１０は、印刷基材１１と、印刷基材１１の上に設けられて凸形状を形成する凸形状形成用インク層１２と、凸形状が形成された印刷基材１１の上に設けられてメタリックな表面を形成するメタリックシート１３と、メタリックな表面が形成された印刷基材１１の上に設けられ、メタリックな表面の少なくとも一部を外部に露出させる状態で画像を形成する画像形成用インク層１４と、が備えられている【選択図】図２
2020006643.tif 000002
【特許請求の範囲】
【請求項１】
印刷基材と、
前記印刷基材の上に設けられて凸形状を形成する凸形状形成用インク層と、
前記凸形状が形成された前記印刷基材の上に設けられてメタリックな表面を形成するメタリックシートと、
前記メタリックな表面が形成された前記印刷基材の上に設けられ、前記メタリックな表面の少なくとも一部を外部に露出させる状態で画像を形成する画像形成用インク層と、が備えられている印刷物。
【請求項２】
前記凸形状が、前記メタリックな表面を外部に露出させるメタリック部位に設けられている請求項１記載の印刷物。
【請求項３】
請求項１又は２記載の印刷物を作成する印刷方法であって、
前記印刷基材の上に前記凸形状形成用インク層を印刷して前記凸形状を形成する第１工程と、
前記凸形状が形成された前記印刷基材の上に前記メタリックシートを貼り付けてメタリックな表面を形成する第２工程と、
前記メタリックな表面が形成された前記印刷基材の上に前記メタリックな表面の少なくとも一部を外部に露出させる状態で画像形成用インク層を印刷して画像を形成する第３工程と、が備えられている印刷方法。
【発明の詳細な説明】
【技術分野】
【０００１】
本発明は、印刷物及び印刷方法に関し、特に、表面の少なくとも一部に金属色が表現された印刷物及び印刷方法に関する。
【背景技術】
【０００２】
金属で製作された物や金属で装飾された物を含む絵画や写真等の画像を有する印刷物を作成する場合に、インクジェットプリンタ等により、印刷用シートや金属板等の各種の印刷基材に金属粒子を含むインクを塗布して金属色を表現することが知られている（例えば、特許文献１、２参照）。
【先行技術文献】
【特許文献】
【０００３】
【特許文献１】特開２０１８−３３４５００号公報
【特許文献２】特開２０１８−０３９２０６号公報
【発明の概要】
【発明が解決しようとする課題】
【０００４】
ところが、上述のような金属粒子を含むインクを塗布しても、どうしても、実際に目で見るような光沢のある美しい金属色を表現することができず、そのため、印刷物の印刷画像も、実際に目で見える雰囲気とは異なる臨場感や迫力等を欠いたものとなっていた。
ちなみに、金属色を表現する部位の形状に金属箔を加工し、印刷物の当該部位に後から貼り付けることも行われているが、その場合は、金属箔を加工して所定位置に貼り付ける難易度の高い工程が増えることになり、製作精度やコスト等の生産効率の問題が生じる。
【０００５】
この実情に鑑み、本発明の主たる課題は、実際に目で見るような光沢のある美しい金属色を生産効率良く表現し、印刷画像の臨場感や迫力等を向上させることが可能な印刷物、及び、そのような印刷物を作成可能な印刷方法を提供する点にある。
【課題を解決するための手段】
【０００６】
本発明の第１特徴構成は、印刷基材と、
前記印刷基材の上に設けられて凸形状を形成する凸形状形成用インク層と、
前記凸形状が形成された前記印刷基材の上に設けられてメタリックな表面を形成するメタリックシートと、
前記メタリックな表面が形成された前記印刷基材の上に設けられ、前記メタリックな表面の少なくとも一部を外部に露出させる状態で画像を形成する画像形成用インク層と、が備えられている点にある。
【０００７】
本構成によれば、メタリックシートにてメタリックな表面が形成され、その上にメタリックな表面の少なくとも一部を外部に露出させる状態で画像形成用インク層が設けられて画像が形成されているので、その外部に露出するメタリックな表面により、実際に目で見るような光沢のある美しい金属色を生産効率良く表現することができる。よって、印刷画像の臨場感や迫力等を向上させることが可能となる。
しかも、印刷基材とメタリックシートとの間に凸形状形成用インク層が設けられて凸形状が形成されているので、光沢のある美しい金属色が表現された印刷物の表面に凹凸も表現することができ、印刷画像の臨場感や迫力等を一層向上させること可能となる。
【０００８】
本発明の第２特徴構成は、前記凸形状が、前記メタリックな表面を外部に露出させるメタリック部位に設けられている点にある。
【０００９】
本構成によれば、印刷画像中のメタリック部位を凸形状により印刷画像中で隆起させることができるので、実際に目で見るような光沢のある美しい金属色に表現されたメタリック部位を印刷画像中で目立たせることができ、印刷画像の臨場感や迫力等を更に一層向上させることできる。
【００１０】
本発明の第３特徴構成は、第１又は第２特徴構成に記載の印刷物を作成する印刷方法であって、
前記印刷基材の上に前記凸形状形成用インク層を印刷して前記凸形状を形成する第１工程と、
前記凸形状が形成された前記印刷基材の上に前記メタリックシートを貼り付けてメタリックな表面を形成する第２工程と、
前記メタリックな表面が形成された前記印刷基材の上に前記メタリックな表面の少なくとも一部を外部に露出させる状態で画像形成用インク層を印刷して画像を形成する第３工程と、が備えられている点にある。
【００１１】
本構成によれば、第１工程にて印刷基材の上に凸形状形成用インク層を印刷して凸形状を簡単に形成することができる。その上に第２工程にてメタリックシートを貼り付けてメタリックな表面を簡単に形成することができる。そして、第３工程にてメタリックな表面を有する印刷基材の上にメタリックな表面の少なくとも一部を外部に露出させる状態で画像形成用インク層を印刷することで、実際に目で見るような光沢のある美しい金属色と凹凸が表現された高い臨場感や迫力等を有する印刷物を簡単に作成することができる。
【図面の簡単な説明】
【００１２】
【図１】印刷物のイメージ図（正面図）
【図２】印刷方法の工程を模式的に示す断面図
【発明を実施するための形態】
【００１３】
本発明に係る印刷物及び印刷方法の実施形態を図面に基づいて説明する。
印刷物１０は、図２（ｃ）に示すように、印刷基材１１と、印刷基材１１の上に設けられて凸形状を形成する凸形状形成用インク層１２と、凸形状が形成された印刷基材１１の上に設けられてメタリックな表面を形成するメタリックシート１３と、メタリックな表面が形成された印刷基材１１の上に設けられ、メタリックな表面の少なくとも一部を外部に露出させる状態で画像を形成する画像形成用インク層１４と、が備えられている。
【００１４】
そして、この印刷物１０は、図１に示すように、主としてメタリックな表面を外部に露出させるメタリック部位１０Ａ（図１中の濃灰色部分）と、主としてメタリックな表面を外部に露出させない非メタリック部位１０Ｂ（図１中の白色部分）が設けられ、実際に目で見るような光沢のある美しい金属色（本例では金色）が表現されたものとなっている。
【００１５】
図２（ｃ）に戻り、印刷基材１１は、上面（表面）にインク層を形成可能な各種の素材を用いることができ。本実施形態では、印刷基材１１は、不燃性に構成されており、例えば、ガラスクロスからなる基材層を樹脂層で被覆した不燃性の印刷用シートとして構成されている。この場合の樹脂層は、例えば、光拡散性を有した粒子状の無機系防炎剤を白色系顔料又は光拡散剤に代えてベース樹脂に混入する等により、難燃性の光拡散層として構成することができる。この他、不燃性の印刷基材１１としては、アルミニウム合金製等の薄い金属板等も好適に用いることができる。
【００１６】
凸形状形成用インク層１２は、インクジェットプリンタ等の市販の印刷機にて印刷されたインク層であり、その層厚ｔ１２（図２（ａ）参照）にて印刷基材１１の上に凸形状を形成する。本実施形態では、印刷基材１１の表面の一部に凸形状形成用インク層１２を形成しており、印刷基材１１の表面における凸形状形成用インク層１２を有する部位と凸形状形成用インク層１２を有しない部位との高さの差を用いて、印刷基材１１の上に凸形状を形成している。
【００１７】
この凸形状形成用インク層１２は、その上にメタリックシート１３が貼り付けられるので、外部に露出することはない。そのため、凸形状形成用インク層１２を形成するインクとしては、次工程に素早く移行できる乾燥の早い性状のインクや凸形状を効率良く形成可能な粘度の高い性状のインク等を好適に用いることができる。
【００１８】
メタリックシート１３は、メタリックな表面を有するシート状体であり、自身の表面にて印刷基材１１の上にメタリックな表面を形成する。本実施形態では、メタリックシート１３が印刷基材１１と同一又は略同一のサイズで構成され、印刷基材１１の全面に備えられている。このメタリックシート１３としては、例えば、金属調に構成されたポリエステル系樹脂を基材とし、その裏面に印刷基材１１に貼り付けるためのアクリル系等の粘着材を設けて構成することができる。この他、メタリックシート１３は、金箔や銀箔のような金属の箔状体にて構成することもできる。
【００１９】
画像形成用インク層１４は、インクジェットプリンタ等の市販の印刷機にて印刷されたインク層であり、例えば、単色のインク又は色調の異なる複数のインクからなり、メタリックな表面が形成された印刷基材１１の上に塗布されて画像を形成する。この画像形成用インク層１４の層厚ｔ１４は、凸形状形成用インク層１２の層厚ｔ１２よりも小（ｔ１４＜ｔ１２）に設定されている。
【００２０】
そして、前述の如く、この印刷物１０には、図１に示すように、メタリック部位１０Ａ（図１中の濃灰色部分）と非メタリック部位１０Ｂ（図１中の白色部分）が設けられている。
【００２１】
図２（ｃ）に示すように、メタリック部位１０Ａは、主としてメタリックシート１３を外部に露出させて構成されている。メタリック部位１０Ａの表面には、メタリックシート１３の大部分を隠蔽せずにメタリックシート１３を装飾するメタリックシート装飾部位１０ａが設けられている。メタリックシート装飾部位１０ａは、例えば、メタリック部位１０Ａの表面に付される陰影等であり、画像形成用インク層１４にて形成される細幅の線や点等にて構成することができる。
【００２２】
非メタリック部位１０Ｂは、主としてメタリックシート１３を外部から隠蔽して構成されている。この非メタリック部位１０Ｂは、メタリックシート１３の表面を画像形成用インク層１４にて全面的に被覆して構成されている。
【００２３】
このように構成された印刷物１０は、実際に目で見るような光沢のある美しい金属色と凹凸が表現されたものとなり、高い臨場感や迫力等を看者に与えることができる。
【００２４】
次に、上述した印刷物１０を作成する印刷方法について説明を加える。この印刷方法は、以下の第１工程〜第３工程を備えている。
【００２５】
（第１工程）
印刷方法の第１工程では、印刷基材１１の上に印刷機等を用いて凸形状形成用インク層１２を印刷して凸形状を形成する。
本実施形態では、印刷基材１１の表面のうち、メタリック部位１０Ａが形成される領域に凸形状形成用インク層１２を印刷し、非メタリック部位１０Ｂが形成される領域には、凸形状形成用インク層１２を印刷しない。そのため、印刷基材１１の表面において、凸形状形成用インク層１２を印刷した部位に凸形状が形成される。
【００２６】
（第２工程）
印刷方法の第２工程では、凸形状が形成された印刷基材１１の上にプレス機等を用いてメタリックシート１３を貼り付け、印刷基材１１の上にメタリックな表面を形成する。本実施形態では、凸形状が形成された部位と凸形状が形成されていない部位とを含む印刷基材１１の全面又は略全面に対して一枚のメタリックシート１３を貼り付ける。
【００２７】
（第３工程）
印刷方法の第３工程では、メタリックシート１３を貼り付けてメタリックな表面が形成された印刷基材１１の上に、そのメタリックな表面の少なくとも一部を外部に露出させる状態で画像形成用インク層１４を印刷機等で印刷して画像を形成する。このとき、非メタリック部位１０Ｂには、その全面又は略全面に画像形成用インク層１４を面状に塗布し、メタリック部位１０Ａには、その大部分に画像形成用インク層１４を塗布せず、画像形成用インク層１４を細幅の線状や点状に塗布してメタリックシート装飾部位１０ａを形成する。
【００２８】
このようにして、メタリック部位１０Ａ及び非メタリック部位１０Ｂが形成され、実際に目で見るような光沢のある美しい金属色と凹凸が表現された高い臨場感や迫力等を有する印刷物１０を作成することができる。
【００２９】
〔別実施形態〕
（１）前述の実施形態では、図２に示すように、印刷基材１１の全面にメタリックシート１３が設けられている場合を例に示したが、例えば、印刷基材１１の一部の領域にメタリックシート１３が設けられていてもよい。
【００３０】
（２）前述の実施形態では、表面の少なくとも一部に金色が表現された印刷物１０を例に示したが、表面の少なくとも一部に銀色等の他の金属色が表現された印刷物であってもよい。
【００３１】
（３）前述の実施形態において、印刷物１０の表面に色調の異なる複数の金属色が表現される場合には、印刷基材１１の上に金属色の異なる複数のメタリックシート１３を並べて構成すればよい。
【００３２】
（４）前述の実施形態では、印刷基材１１の表面の一部に凸形状形成用インク層１２を形成し、印刷基材１１の表面における凸形状形成用インク層１２を有する部位と凸形状形成用インク層１２を有しない部位との高さの差を用いて印刷基材１１の上に凸形状を形成する場合を例に示したが、例えば、凸形状形成用インク層１２の塗り重ね回数を部位毎に変える等により印刷基材１１の上に高さの異なる複数の凸形状を形成するようにしてもよい。
【符号の説明】
【００３３】
１０      印刷物
１０Ａ    メタリック部位
１０ａ    メタリックシート装飾部位
１０Ｂ    非メタリック部位
１１      印刷基材
１２      凸形状形成用インク層
１３      メタリックシート
１４      画像形成用インク層
【図１】
2020006643.tif 000003
【図２】
2020006643.tif 000004